(57)【特許請求の範囲】
【請求項１】
土台の外側に縦胴縁を配置することで外壁の内部に通気隙間が設けられた建築物において使用され、前記外壁の下部から前記通気隙間に外気を取り入れるための通気口を覆う通気スペーサ部材であって、
前記土台の前記縦胴縁側の側面に取り付けられるスペーサ取付板部と、
前記スペーサ取付板部から前記縦胴縁の前記土台側とは反対側まで延びるスペーサ底板部と、
前記スペーサ底板部の前記スペーサ取付板部側とは反対側の端部から上方に屈曲された立板部とを備えており、
前記スペーサ底板部と前記立板部との少なくともいずれか一方に前記通気隙間に通じる複数の壁体内通気孔が設けられており、
前記立板部は、前記スペーサ底板部の端部から前記スペーサ取付板部側に斜め上方に屈曲されていることを特徴とする通気スペーサ部材。
【請求項２】
土台の外側に縦胴縁を配置することで外壁の内部に通気隙間が設けられた建築物において、前記外壁の下部から前記通気隙間に外気を取り入れるための通気口を覆う通気スペーサ部材と、前記通気スペーサ部材を覆う水切り部材とからなる水切り材であって、
前記通気スペーサ部材は、
前記土台の前記縦胴縁側の側面に取り付けられるスペーサ取付板部と、
前記スペーサ取付板部から前記縦胴縁の前記土台側とは反対側まで延びるスペーサ底板部と、
前記スペーサ底板部の前記スペーサ取付板部側とは反対側の端部から前記スペーサ取付板部側に斜め上方に屈曲された立板部とを備えており、
前記スペーサ底板部と前記立板部との少なくともいずれか一方に前記通気隙間に通じる複数の壁体内通気孔が設けられており、
前記水切り部材は、
前記縦胴縁の前記土台側とは反対側の側面に取り付けられる水切り取付板部と、
前記水切り取付板部から前記縦胴縁側とは反対側に延びる水切り板部とを備えていることを特徴とする水切り材。
【請求項３】
前記スペーサ底板部は、前記スペーサ取付板部側から前記立板部側に向けて下方に傾斜していることを特徴とする請求項２に記載の水切り材。
【請求項４】
前記複数の壁体内通気孔は、前記スペーサ底板部の前記立板部側の端部と前記立板部の前記スペーサ底板部側の端部との少なくともいずれか一方に設けられていることを特徴とする請求項３に記載の水切り材。
【請求項５】
土台と、外壁の内部に通気隙間を設けるために前記土台の外側に配置された縦胴縁と、前記外壁の下部から前記通気隙間に外気を取り入れるための通気口を覆う通気スペーサ部材、及び前記通気スペーサ部材を覆う水切り部材からなる水切り材とを備えた建物構造であって、
前記通気スペーサ部材は、
前記土台の前記縦胴縁側の側面に取り付けられるスペーサ取付板部と、
前記スペーサ取付板部から前記縦胴縁の前記土台側とは反対側まで延びるスペーサ底板部と、
前記スペーサ底板部の前記スペーサ取付板部側とは反対側の端部から前記スペーサ取付板部側に斜め上方に屈曲された立板部とを備えており、
前記スペーサ底板部と前記立板部との少なくともいずれか一方に前記通気隙間に通じる複数の壁体内通気孔が設けられており、
前記縦胴縁は、前記土台との間で前記通気スペーサ部材の前記スペーサ取付板部を挟むように前記土台の外側に取り付けられており、
前記水切り部材は、
前記縦胴縁の前記土台側とは反対側の側面に取り付けられる水切り取付板部と、
前記水切り取付板部から前記縦胴縁側とは反対側に延びる水切り板部とを備えており、
前記水切り板部の下面が、前記通気スペーサ部材の前記立板部の前記スペーサ底板部側とは反対側の端部と当接していることを特徴とする建物構造。
【請求項６】
土台と、外壁の内部に通気隙間を設けるために前記土台の外側に配置された縦胴縁と、前記外壁の下部から前記通気隙間に外気を取り入れるための通気口を覆う通気スペーサ部材、及び前記通気スペーサ部材を覆う水切り部材からなる水切り材とを備えた建物構造であって、
前記通気スペーサ部材は、
前記土台の前記縦胴縁側の側面に取り付けられるスペーサ取付板部と、
前記スペーサ取付板部から前記縦胴縁の前記土台側とは反対側まで延びるスペーサ底板部と、
前記スペーサ底板部の前記スペーサ取付板部側とは反対側の端部から上方に屈曲された立板部とを備えており、
前記スペーサ底板部と前記立板部との少なくともいずれか一方に前記通気隙間に通じる複数の壁体内通気孔が設けられており、
前記縦胴縁は、前記土台との間で前記通気スペーサ部材の前記スペーサ取付板部を挟むように前記土台の外側に取り付けられており、
前記水切り部材は、
前記縦胴縁の前記土台側とは反対側の側面に取り付けられる水切り取付板部と、
前記水切り取付板部から前記縦胴縁側とは反対側に延びる水切り板部とを備えており、
前記水切り板部の下面が、前記通気スペーサ部材の前記立板部の前記スペーサ底板部側とは反対側の端部と当接しており、
前記水切り部材は、
前記水切り板部から下方に延びる前垂れ板部と、
前記前垂れ板部から前記縦胴縁側に向けて前記水切り取付板部を越えて延びる水切り底板部とをさらに備えており、
前記水切り底板部には、前記水切り板部、前記前垂れ板部、及び前記水切り底板部で囲まれた空間に通じる複数の水切り通気孔が形成されており、
前記通気スペーサ部材の前記スペーサ底板部と前記立板部との境界部分が、前記水切り部材の前記水切り通気孔が形成された部分の上方に位置していることを特徴とする建物構造。
【請求項７】
土台の外側に縦胴縁を配置することで外壁の内部に通気隙間が設けられた建築物において、前記外壁の下部から前記通気隙間に外気を取り入れるための通気口を覆う通気スペーサ部材と、前記通気スペーサ部材を覆う水切り部材とからなる水切り材であって、前記通気スペーサ部材は、前記土台の前記縦胴縁側の側面に取り付けられるスペーサ取付板部と、前記スペーサ取付板部から前記縦胴縁の前記土台側とは反対側まで延びるスペーサ底板部と、前記スペーサ底板部の前記スペーサ取付板部側とは反対側の端部から上方に屈曲された立板部とを備えており、前記スペーサ底板部と前記立板部との少なくともいずれか一方に前記通気隙間に通じる複数の壁体内通気孔が設けられており、前記水切り部材は、前記縦胴縁の前記土台側とは反対側の側面に取り付けられる水切り取付板部と、前記水切り取付板部から前記縦胴縁側とは反対側に延びる水切り板部とを備えている水切り材の施工方法であって、
前記土台の前記縦胴縁側の側面の下端に前記通気スペーサ部材の前記スペーサ取付板部の下端を合わせるようにして前記通気スペーサ部材を前記土台に取り付ける工程と、
前記土台との間で前記通気スペーサ部材の前記スペーサ取付板部を挟むように前記土台の外側に前記縦胴縁を取り付ける工程と、
前記水切り部材の前記水切り板部の下面を前記通気スペーサ部材の前記立板部の前記スペーサ底板部側とは反対側の端部と当接させつつ、前記水切り部材の前記水切り取付板部を前記縦胴縁の前記土台側とは反対側の側面の下端部に取り付ける工程とを備えていることを特徴とする水切り材の施工方法。
【発明の詳細な説明】
【技術分野】
【０００１】
本発明は、外壁の内部に通気隙間が設けられた建築物に用いられる水切り材の通気スペーサ部材、水切り材、水切り材を備えた建物構造、及び水切り材の施工方法に関する。
【背景技術】
【０００２】
近年、建物の耐久性の低下につながる内部結露や木部の腐朽などを防ぐために、外壁の内部に通気隙間を設け、外壁の下部より外気を取り入れ、外壁の内部の湿気や熱気を小屋裏などを通して外部へ排出する工夫がほどこされた壁体内通気工法が頻繁に採用されるようになってきている。
【０００３】
そして、壁体内通気工法を用いたときに使用される水切り材は、外壁の下部において、外壁の内部の通気隙間への通気の妨げとならないように構成されている（たとえば、特許文献１、２、３参照）。
【先行技術文献】
【特許文献】
【０００４】
【特許文献１】特開２００２−２３５３８３号公報
【特許文献１】特開２００３−１１９９１２号公報
【特許文献１】特開２０１１−２３６７０４号公報
【発明の概要】
【発明が解決しようとする課題】
【０００５】
上述のような水切り材は縦胴縁の下端部等に取り付けられるが、水切り材を取り付ける際の上下方向の位置決め作業は煩わしく、施工にばらつきが生じる原因となっている。よって、上下方向の位置決め作業が簡易であり施工が容易な水切り材の開発が望まれている。また、従来の水切り材は、縦胴縁の厚みが異なる（すなわち、外壁の内部の通気隙間の厚みが異なる）建築物に適用することは困難であった。
【０００６】
そこで、本発明は、施工が容易であり且つ適用可能な建築物の外壁の内部の通気隙間の厚みの範囲が広い水切り材の通気スペーサ部材、水切り材、水切り材を備えた建物構造、及び水切り材の施工方法を提供することを目的とする。
【課題を解決するための手段】
【０００７】
上記課題を解決するために、本発明の通気スペーサ部材は、土台の外側に縦胴縁を配置することで外壁の内部に通気隙間が設けられた建築物において使用され、前記外壁の下部から前記通気隙間に外気を取り入れるための通気口を覆う通気スペーサ部材であって、前記土台の前記縦胴縁側の側面に取り付けられるスペーサ取付板部と、前記スペーサ取付板部から前記縦胴縁の前記土台側とは反対側まで延びるスペーサ底板部と、前記スペーサ底板部の前記スペーサ取付板部側とは反対側の端部から上方に屈曲された立板部とを備えており、前記スペーサ底板部と前記立板部との少なくともいずれか一方に前記通気隙間に通じる複数の壁体内通気孔が設けられており、前記立板部は、前記スペーサ底板部の端部から前記スペーサ取付板部側に斜め上方に屈曲されていることを特徴とする。
【０００８】
また、本発明の水切り材は、土台の外側に縦胴縁を配置することで外壁の内部に通気隙間が設けられた建築物において、前記外壁の下部から前記通気隙間に外気を取り入れるための通気口を覆う通気スペーサ部材と、前記通気スペーサ部材を覆う水切り部材とからなる水切り材であって、前記通気スペーサ部材は、前記土台の前記縦胴縁側の側面に取り付けられるスペーサ取付板部と、前記スペーサ取付板部から前記縦胴縁の前記土台側とは反対側まで延びるスペーサ底板部と、前記スペーサ底板部の前記スペーサ取付板部側とは反対側の端部から前記スペーサ取付板部側に斜め上方に屈曲された立板部とを備えており、前記スペーサ底板部と前記立板部との少なくともいずれか一方に前記通気隙間に通じる複数の壁体内通気孔が設けられており、前記水切り部材は、前記縦胴縁の前記土台側とは反対側の側面に取り付けられる水切り取付板部と、前記水切り取付板部から前記縦胴縁側とは反対側に延びる水切り板部とを備えていることを特徴とする。
【０００９】
さらに、本発明の建物構造は、土台と、外壁の内部に通気隙間を設けるために前記土台の外側に配置された縦胴縁と、前記外壁の下部から前記通気隙間に外気を取り入れるための通気口を覆う通気スペーサ部材、及び前記通気スペーサ部材を覆う水切り部材からなる水切り材とを備えた建物構造であって、前記通気スペーサ部材は、前記土台の前記縦胴縁側の側面に取り付けられるスペーサ取付板部と、前記スペーサ取付板部から前記縦胴縁の前記土台側とは反対側まで延びるスペーサ底板部と、前記スペーサ底板部の前記スペーサ取付板部側とは反対側の端部から前記スペーサ取付板部側に斜め上方に屈曲された立板部とを備えており、前記スペーサ底板部と前記立板部との少なくともいずれか一方に前記通気隙間に通じる複数の壁体内通気孔が設けられており、前記縦胴縁は、前記土台との間で前記通気スペーサ部材の前記スペーサ取付板部を挟むように前記土台の外側に取り付けられており、前記水切り部材は、前記縦胴縁の前記土台側とは反対側の側面に取り付けられる水切り取付板部と、前記水切り取付板部から前記縦胴縁側とは反対側に延びる水切り板部とを備えており、前記水切り板部の下面が、前記通気スペーサ部材の前記立板部の前記スペーサ底板部側とは反対側の端部と当接していることを特徴とする。
【００１０】
加えて、本発明の水切り材の施工方法は、土台の外側に縦胴縁を配置することで外壁の内部に通気隙間が設けられた建築物において、前記外壁の下部から前記通気隙間に外気を取り入れるための通気口を覆う通気スペーサ部材と、前記通気スペーサ部材を覆う水切り部材とからなる水切り材であって、前記通気スペーサ部材は、前記土台の前記縦胴縁側の側面に取り付けられるスペーサ取付板部と、前記スペーサ取付板部から前記縦胴縁の前記土台側とは反対側まで延びるスペーサ底板部と、前記スペーサ底板部の前記スペーサ取付板部側とは反対側の端部から上方に屈曲された立板部とを備えており、前記スペーサ底板部と前記立板部との少なくともいずれか一方に前記通気隙間に通じる複数の壁体内通気孔が設けられており、前記水切り部材は、前記縦胴縁の前記土台側とは反対側の側面に取り付けられる水切り取付板部と、前記水切り取付板部から前記縦胴縁側とは反対側に延びる水切り板部とを備えている水切り材の施工方法である。前記土台の前記縦胴縁側の側面の下端に前記通気スペーサ部材の前記スペーサ取付板部の下端を合わせるようにして前記通気スペーサ部材を前記土台に取り付ける工程と、前記土台との間で前記通気スペーサ部材の前記スペーサ取付板部を挟むように前記土台の外側に前記縦胴縁を取り付ける工程と、前記水切り部材の前記水切り板部の下面を前記通気スペーサ部材の前記立板部の前記スペーサ底板部側とは反対側の端部と当接させつつ、前記水切り部材の前記水切り取付板部を前記縦胴縁の前記土台側とは反対側の側面の下端部に取り付ける工程とを備えていることを特徴とする。
【００１１】
これらの構成によると、通気スペーサ部材の立板部のスペーサ底板部側とは反対側の端部は、水切り部材を縦胴縁に取り付ける際の上下方向の基準位置とすることができる。よって、上下方向の位置決めを簡易にして施工を容易とすることができる。また、通気スペーサ部材は水切り部材と別体であり、通気スペーサ部材のスペーサ底板部は、土台の縦胴縁側の側面に取り付けられるスペーサ取付板から、縦胴縁の土台側とは反対側まで延びているので、縦胴縁の厚みの異なる建築物に適用することができる。すなわち、適用可能な建築物の通気隙間の厚みの範囲が広い。また、水切り部材の上下方向の位置決めを行う際に、水切り部材が通気スペーサ部材の立板部のスペーサ底板部側とは反対側の端部に当接したときの衝撃を緩和することができる。
【００１４】
ここで、本発明において、通気スペーサ部材の前記スペーサ底板部は、前記スペーサ取付板部側から前記立板部側に向けて下方に傾斜していることが好ましい。
【００１５】
この構成によると、外壁の内部の通気隙間に浸入して通気スペーサ部材上に落ちてきた水を外壁の外側に送ることができる。
【００１６】
ここで、本発明において、通気スペーサ部材の前記複数の壁体内通気孔は、前記スペーサ底板部の前記立板部側の端部と前記立板部の前記スペーサ底板部側の端部との少なくともいずれか一方に設けられていることが好ましい。
【００１７】
この構成によると、外壁の内部の通気隙間に浸入して通気スペーサ部材上に落ちてきた水を、壁体内通気孔を介して外壁の外側に排出することができる。
【００１８】
また、本発明の建物構造は、土台と、外壁の内部に通気隙間を設けるために前記土台の外側に配置された縦胴縁と、前記外壁の下部から前記通気隙間に外気を取り入れるための通気口を覆う通気スペーサ部材、及び前記通気スペーサ部材を覆う水切り部材からなる水切り材とを備えた建物構造であって、前記通気スペーサ部材は、前記土台の前記縦胴縁側の側面に取り付けられるスペーサ取付板部と、前記スペーサ取付板部から前記縦胴縁の前記土台側とは反対側まで延びるスペーサ底板部と、前記スペーサ底板部の前記スペーサ取付板部側とは反対側の端部から上方に屈曲された立板部とを備えており、前記スペーサ底板部と前記立板部との少なくともいずれか一方に前記通気隙間に通じる複数の壁体内通気孔が設けられており、前記縦胴縁は、前記土台との間で前記通気スペーサ部材の前記スペーサ取付板部を挟むように前記土台の外側に取り付けられており、前記水切り部材は、前記縦胴縁の前記土台側とは反対側の側面に取り付けられる水切り取付板部と、前記水切り取付板部から前記縦胴縁側とは反対側に延びる水切り板部とを備えており、前記水切り板部の下面が、前記通気スペーサ部材の前記立板部の前記スペーサ底板部側とは反対側の端部と当接しており、前記水切り部材は、前記水切り板部から下方に延びる前垂れ板部と、前記前垂れ板部から前記縦胴縁側に向けて前記水切り取付板部を越えて延びる水切り底板部とをさらに備えており、前記水切り底板部には、前記水切り板部、前記前垂れ板部、及び前記水切り底板部で囲まれた空間に通じる複数の水切り通気孔が形成されており、前記通気スペーサ部材の前記スペーサ底板部と前記立板部との境界部分が、前記水切り部材の前記水切り通気孔が形成された部分の上方に位置していることを特徴とする。
【００１９】
この構成によると、通気スペーサ部材の立板部のスペーサ底板部側とは反対側の端部は、水切り部材を縦胴縁に取り付ける際の上下方向の基準位置とすることができる。よって、上下方向の位置決めを簡易にして施工を容易とすることができる。また、通気スペーサ部材は水切り部材と別体であり、通気スペーサ部材のスペーサ底板部は、土台の縦胴縁側の側面に取り付けられるスペーサ取付板から、縦胴縁の土台側とは反対側まで延びているので、縦胴縁の厚みの異なる建築物に適用することができる。すなわち、適用可能な建築物の通気隙間の厚みの範囲が広い。また、通気スペーサ部材の壁体内通気孔から排出された水を、水切り部材の水切り通気孔から水切り材の外側に排出しやすくすることができる。
【発明の効果】
【００２０】
以上の説明に述べたように、本発明によれば、施工が容易であり且つ適用可能な建築物の外壁の内部の通気隙間の厚みの範囲が広い水切り材の通気スペーサ部材、水切り材、水切り材を備えた建物構造、及び水切り材の施工方法を提供することができる。
【図面の簡単な説明】
【００２１】
【図１】本実施形態に係る水切り材が適用される建築物を示す図であり、（ａ）は縦胴縁の厚みが厚い場合、（ｂ）は縦胴縁の厚みが薄い場合を示す。
【図２】図１に示す通気スペーサ部材の側面図である。
【図３】図２に示す通気スペーサ部材の立板部の平面図である。
【図４】図１に示す水切り部材の側面図である。
【図５】図４に示す水切り部材の水切り底板部の平面図である。
【図６】図１に示す水切り材の施工方法を説明するための図であり、（ａ）は通気スペーサ部材を取り付ける工程、（ｂ）は縦胴縁を取り付ける工程、（ｃ）は水切り部材を取り付ける工程を示す。
【発明を実施するための形態】
【００２２】
次に、本発明の実施の形態について図面を参照して説明する。
【００２３】
図１（ａ）、（ｂ）に示すように、本実施形態の水切り材１が適用される一般的な建築物は、地面に一部を露出して埋め込まれるように基礎４が設けられ、基礎４の上には適所に配置された基礎パッキン３を介して土台２が設けられている。したがって、基礎パッキン３によって、基礎４と土台２との間に通気隙間３１が形成されている。土台２の外側（図１（ａ）、（ｂ）中左側）には、適所に配置された縦胴縁６を介して外装板５が設けられる。したがって、縦胴縁６によって、外壁の内部に通気隙間３２が形成されている。なお、以下の説明においては、建築物の内側を単に「内側」と称し、建築物の外側を単に「外側」と称することとする。
【００２４】
水切り材１は、基礎４の内側に雨水等が浸入するのを防ぐためのものである。水切り材１は、土台２の外側（縦胴縁６側）の側面に取り付けられ、外壁の下部から外壁の内部の通気隙間３２に外気を取り入れるための通気口を覆う通気スペーサ部材１０と、縦胴縁６の外側（土台２側とは反対側）の側面に取り付けられ、通気スペーサ部材１０を覆う水切り部材２０とで構成されている。後で詳述するように、水切り材１は、基礎４と土台２との間の通気隙間３１、及び、外壁の内部の通気隙間３２への通気の妨げとならないように構成されている。
【００２５】
ここで、図２、３をさらに参照しつつ、通気スペーサ部材１０の構成について説明する。通気スペーサ部材１０は、１枚の金属板に対して板金加工を施して折り曲げや穴開け等を行うことで形成されており、土台２の長手方向（図１（ａ）、（ｂ）の紙面に垂直な方向）に長尺な部材である。
【００２６】
図２に示すように、通気スペーサ部材１０は、上下方向に延びるスペーサ取付板部１１と、スペーサ取付板部１１の下端から外側に延びるスペーサ底板部１３と、スペーサ底板部１３のスペーサ取付板部１１側とは反対側の端部からスペーサ取付板部１１側に斜め上方に屈曲された立板部１５とを備えている。図１（ａ）、（ｂ）に示すように、スペーサ取付板部１１は、土台２の外側（縦胴縁６側）の側面に取り付けられる。また、スペーサ底板部１３は、縦胴縁６の外側（土台２側とは反対側）まで延びており、スペーサ取付板部１１側から立板部１５側に向けて下方に傾斜している。なお、立板部１５のスペーサ底板部１３側とは反対側の端部は、スペーサ底板部１３との対向面側に折り返されている。
【００２７】
スペーサ取付板部１１の長さ（上下方向長さ）Ｌ１は２５ｍｍであり、スペーサ底板部１３の長さ（スペーサ取付板部１１側の端から立板部１５側の端までの長さ）Ｌ２は４０ｍｍであり、立板部１５の長さ（スペーサ底板部１３側の端からスペーサ底板部１３側とは反対側の端までの長さ）Ｌ３は１８ｍｍである。また、スペーサ取付板部１１とスペーサ底板部１３とのなす角度θ１は１００°であり、スペーサ底板部１３と立板部１５とのなす角度θ２は３５°である。
【００２８】
なお、スペーサ底板部１３は、上述のように縦胴縁６の外側まで延びている。したがって、縦胴縁６の厚み（すなわち、外壁の内部の通気隙間３２の厚み）が異なる建築物に適用することができる。図１（ａ）は縦胴縁６の厚みＬ２１が２１ｍｍである場合、図１（ｂ）は縦胴縁６の厚みＬ２２が１５ｍｍである場合を示している。
【００２９】
図３に示すように、立板部１５には複数の通気孔１５ａが形成されている。通気孔１５ａは防虫に適した寸法とされ、ここでは直径Ｒ１が３ｍｍの円形となっている。複数の通気孔１５ａは、通気スペーサ部材１０の長手方向（図３中左右方向）に沿って配列された複数の通気孔１５ａの列が立板部１５の長さ方向（スペーサ底板部１３側の端からスペーサ底板部１３側とは反対側に向かう方向）に３列形成されるように設けられている。複数の通気孔１５ａは千鳥状に配置されており、各列に含まれる通気孔１５ａは隣接する列に含まれる通気孔１５ａと互い違いに位置している。最もスペーサ底板部１３側に位置する列に含まれる各通気孔１５ａは、スペーサ底板部１３側の端部に位置している。
【００３０】
次に、図４、５をさらに参照しつつ、水切り部材２０の構成について説明する。水切り部材２０は、１枚の金属板に対して板金加工を施して折り曲げや穴開け等を行うことで形成されており、土台２の長手方向（図１（ａ）、（ｂ）の紙面に垂直な方向）に長尺な部材である。
【００３１】
図４に示すように、水切り部材２０は、上下方向に延びる水切り取付板部２１と、水切り取付板部２１の下端から外側（縦胴縁６側とは反対側）に延びる水切り板部２３と、水切り板部２３の水切り取付板部２１側とは反対側の端から下方に延びる前垂れ板部２５と、前垂れ板部２５から内側（縦胴縁６側）に向けて水切り取付板部２１を越えて延びる水切り底板部２７とを備えている。図１（ａ）、（ｂ）に示すように、水切り取付板部２１は、縦胴縁６の外側（土台２側とは反対側）に取り付けられる。水切り板部２３は、水切り取付板部２１側から前垂れ板部２５側に向けて下方に傾斜している。水切り底板部２７も、前垂れ板部２５側とは反対側から前垂れ板部２５側に向けて若干下方に傾斜している。なお、水切り底板部２７の前垂れ板部２５側とは反対側の端部は、上面側に折り返されている。また、前垂れ板部２５の下端部は内側（縦胴縁６との対向面側）に折り返されており、この折り返し部分の上端から水切り底板部２７が延びている。
【００３２】
水切り取付板部２１の長さ（上下方向長さ）Ｌ４は４５ｍｍであり、水切り取付板部２１と前垂れ板部２５との間の水平方向長さＬ５は３５ｍｍであり、前垂れ板部２５の長さＬ６は３０ｍｍであり、前垂れ板部２５の下端部の折り返し部分の長さＬ７は６．５ｍｍであり、前垂れ板部２５から水切り底板部２７の前垂れ板部２５側とは反対側の端部までの水平方向長さＬ８は５０ｍｍである。
【００３３】
図５に示すように、水切り底板部２７には複数の通気孔２７ａが形成されている。通気孔２７ａは短辺Ｌ９が５ｍｍ、長辺Ｌ１０が１３ｍｍの略矩形形状であり、鼠が通過できない大きさとなっている。複数の通気孔２７ａは短辺が水切り部材２０の長手方向（図５中左右方向）と一致するように、水切り部材２０の長手方向に沿って１列に配置されている。各通気孔２７ａの端は、水切り底板部２７の前垂れ板部２５側の端とほぼ一致している。
【００３４】
図１（ａ）に示す場合においては、通気スペーサ部材１０のスペーサ底板部１３と立板部１５との境界部分と水切り底板部２７の前垂れ板部２５側の端との間の水平方向長さＬ１１は１５．１６ｍｍである。一方、図１（ｂ）に示す場合においては、通気スペーサ部材１０のスペーサ底板部１３と立板部１５との境界部分と水切り底板部２７の前垂れ板部２５側の端との間の水平方向長さＬ１２は９．１６ｍｍである。ここで、上述のように、水切り底板部２７に形成された通気孔２７ａは、端が前垂れ板部２５側の端とほぼ一致しており、長辺Ｌ１０が１３ｍｍであるので、図１（ｂ）に示す場合においては、通気スペーサ部材１０のスペーサ底板部１３と立板部１５との境界部分は、水切り部材２０の通気孔２７ａが形成された部分の上方に位置する。
【００３５】
図１（ａ）、（ｂ）に示すように、水切り材１の下方から水切り部材２０の通気孔２７ａを介して、水切り部材２０の水切り板部２３、前垂れ板部２５、及び水切り底板部２７で囲まれた空間３０に外気が流れ込む。空間３０に流れ込んだ外気の一部は、基礎４と土台２との間の通気隙間３１を介して建築物の床下に流れ込む。空間３０に流れ込んだ残りの外気は、通気スペーサ部材１０の通気孔１５ａを介して、外壁の内部に通気隙間３２に流れ込む。
【００３６】
次いで、図６（ａ）〜（ｃ）を参照しつつ、水切り材１の施工方法について説明する。まず、図６（ａ）に示すように、土台２の外側の側面の下端に通気スペーサ部材１０のスペーサ取付板部１１の下端を合わせるようにして、通気スペーサ部材１０を土台２に取り付ける。続いて、図６（ｂ）に示すように、土台２との間で通気スペーサ部材１０のスペーサ取付板部１１を挟むように、土台２の外側に縦胴縁６を取り付ける。最後に、図６（ｃ）に示すように、水切り部材２０の水切り板部２３の下面を通気スペーサ部材１０の立板部１５のスペーサ底板部１３側とは反対側の端部と当接させつつ、水切り部材２０の水切り取付板部２１を縦胴縁６の外側の側面の下端部に取り付ける。これにより水切り材１の取り付けは完了する。水切り材１を取り付けた後、縦胴縁６との間で水切り部材２０の水切り取付板部２１を挟むように、縦胴縁６の外側に外装板５が取り付けられる（図１（ａ）、（ｂ）参照）。
【００３７】
以上のように、本実施形態の水切り材１は、外壁の下部から外壁の内部の通気隙間３２に外気を取り入れるための通気口を覆う通気スペーサ部材１０と、通気スペーサ部材１０を覆う水切り部材２０との２部材からなる。通気スペーサ部材１０は、土台２の外側の側面に取り付けられるスペーサ取付板部１１と、スペーサ取付板部１１から縦胴縁６の外側まで延びるスペーサ底板部１３と、スペーサ底板部１３のスペーサ取付板部１１側とは反対側の端部から上方に屈曲された立板部１５とを備えており、立板部１５に通気隙間３２に通じる複数の通気孔１５ａが設けられている。水切り部材２０は、縦胴縁６の外側の側面に取り付けられる水切り取付板部２１と、水切り取付板部２１から外側に延びる水切り板部２３とを備えている。
したがって、通気スペーサ部材１０の立板部１５のスペーサ底板部１３側とは反対側の端部は、水切り部材２０を縦胴縁６に取り付ける際の上下方向の基準位置とすることができる。よって、上下方向の位置決めを簡易として施工を容易とすることができる。また、通気スペーサ部材１０は水切り部材２０と別体であり、通気スペーサ部材１０のスペーサ底板部１３は、土台２の外側の側面に取り付けられるスペーサ取付板部１１から、縦胴縁６の外側まで延びているので、縦胴縁６の厚みの異なる建築物に適用することができる。すなわち、適用可能な建築物の通気隙間３２の厚みの範囲が広い。
【００３８】
また、本実施形態の水切り材１では、立板部１５は、スペーサ底板部１３の端部からスペーサ取付板部１１側に斜め上方に屈曲されている。したがって、水切り部材２０の上下方向の位置決めを行う際に、水切り部材２０が通気スペーサ部材１０の立板部１５のスペーサ底板部１３側とは反対側の端部に当接したときの衝撃を緩和することができる。また、立板部１５が垂直である場合に比べて、通気孔１５ａが設けられる立板部１５の面積を大きくすることができる。よって、外壁の内部の通気隙間３２への通気をよりスムーズにすることができる。
【００３９】
さらに、本実施形態の水切り材１では、通気スペーサ部材１０のスペーサ底板部１３は、スペーサ取付板部１１側から立板部１５側に向けて下方に傾斜している。したがって、外壁の内部の通気隙間３２に浸入して通気スペーサ部材１０上に落ちてきた水を外壁の外側に送ることができる。
【００４０】
加えて、本実施形態の水切り材１では、立板部１５のスペーサ底板部１３側の端部に通気孔１５ａが設けられている。したがって、外壁の内部の通気隙間３２に浸入して通気スペーサ部材１０上に落ちてきた水を、通気孔１５ａを介して外壁の外側に排出することができる。
【００４１】
また、本実施形態の水切り材１では、水切り部材２０は、水切り板部２３から下方に延びる前垂れ板部２５と、前垂れ板部２５から内側に向けて水切り取付板部２１を越えて延びる水切り底板部２７とをさらに備えている。そして、水切り底板部２７には、複数の通気孔２７ａが形成されており、通気スペーサ部材１０のスペーサ底板部１３と立板部１５との境界部分が、水切り部材２０の通気孔２７ａが形成された部分の上方に位置している（図１（ｂ）に示すケース）。したがって、通気スペーサ部材１０の立板部１５に設けられた通気孔１５ａから排出された水を、水切り部材２０の通気孔２７ａから水切り材１の外側に排出しやすくすることができる。
【００４２】
以上、本発明の好適な実施形態について説明したが、本発明は上述の実施の形態に限られるものではなく、特許請求の範囲に記載した限りにおいて、様々な設計変更を行うことが可能なものである。
【００４３】
例えば、上述の実施形態では、外壁の内部の通気隙間３２に通じる通気孔１５ａが立板部１５に設けられている場合について説明したが、これには限定されない。通気孔１５ａは、スペーサ底板部１３及び立板部１５の少なくともいずれか一方に設けられていればよい。
【００４４】
また、上述の実施形態では、通気スペーサ部材１０の立板部１５は、スペーサ底板部１３の端部からスペーサ取付板部１１側に斜め上方に屈曲されている場合について説明したが、これには限定されない。立板部１５は垂直であってもよいし、スペーサ底板部１３の端部からスペーサ取付板部１１側とは反対側に斜め上方に屈曲されていてもよい。
【００４５】
加えて、上述の実施形態では、通気スペーサ部材１０のスペーサ底板部１３が、スペーサ取付板部１１側から立板部１５側に向けて下方に傾斜している場合について説明したが、これには限定されない。すなわち、スペーサ底板部１３は水平であってもよいし、立板部１５側からスペーサ取付板部１１側に向けて下方に傾斜していてもよい。
【００４６】
また、上述の実施形態では、立板部１５のスペーサ底板部１３側の端部に通気孔１５ａが設けられている場合について説明したが、通気孔１５ａの形成位置はこれに限定されるものではない。なお、スペーサ底板部１３に通気孔１５ａを設ける場合も、スペーサ底板部１３の立板部１５側の端部に通気孔１５ａを設けることが好ましいが、必ずしも立板部１５側の端部に通気孔１５ａを設ける必要はない。
【００４７】
さらに、スペーサ取付板部１１の下部の長さ方向に沿って、外壁の内部の通気隙間３２の内側に設置される透湿防水シートの下端を留めるために、両面テープを付貼しておいてもよく、また、スペーサ取付板部１１の上部の長さ方向に沿って、釘又はビス打ち用の溝又は穴を設けておいてもよい。
【００４８】
加えて、上述の実施形態では、水切り部材２０が、水切り板部２３から下方に延びる前垂れ板部２５と、前垂れ板部２５から内側に向けて水切り取付板部２１を越えて延びる水切り底板部２７とを備えている場合について説明したが、前垂れ板部２５及び水切り底板部２７はなくてもよい。
【００４９】
また、上述の実施形態では、基礎パッキン３によって基礎４と土台２との間に通気隙間３１が形成されている建築物に本発明を適用する場合について説明したが、本発明は基礎コンクリートに床下換気口が設けられた建築物に適用することも可能である。
【符号の説明】
【００５０】
１  水切り材
２  土台
６  縦胴縁
１０  通気スペーサ部材
１１  スペーサ取付板部
１３  スペーサ底板部
１５  立板部
１５ａ  通気孔（壁体内通気孔）
２０  水切り部材
２１  水切り取付板部
２３  水切り板部
２５  前垂れ板部
２７  水切り底板部
２７ａ  通気孔（水切り通気孔）
【図１】
0006637710.tif 000002
【図２】
0006637710.tif 000003
【図３】
0006637710.tif 000004
【図４】
0006637710.tif 000005
【図５】
0006637710.tif 000006
【図６】
0006637710.tif 000007